(57)【特許請求の範囲】
【請求項１】
蒸発器と吸収器とを収納した蒸発器吸収器胴、低温再生器と凝縮器とを収納した低温再生器凝縮器胴、温廃水などを低温熱源とする低熱源再生器と凝縮器とを収納した低熱源再生器凝縮器胴、高温再生器、低温熱交換器、高温熱交換器、稀吸収液ポンプおよび中間吸収液ポンプを配管接続して構成する一重二重効用吸収冷温水機において、高温熱交換器を経由させて高温再生器に中間吸収液を送り込む中間吸収液ポンプが介在する中間吸収液配管の高温熱交換器入口側に廃熱熱交換器を設けると共に、この廃熱熱交換器に供給され、廃熱熱交換器で中間吸収液と熱交換して廃熱熱交換器から吐出した温廃水などを低熱源再生器に供給可能に前記廃熱熱交換器と低熱源再生器とを低熱源供給配管により配管接続したことを特徴とする一重二重効用吸収冷温水機。
【請求項２】
蒸発器と吸収器とを収納した蒸発器吸収器胴、低温再生器と凝縮器とを収納した低温再生器凝縮器胴、温廃水などを低温熱源とする低熱源再生器と凝縮器とを収納した低熱源再生器凝縮器胴、高温再生器、低温熱交換器、高温熱交換器、中間熱交換器、第１および第２の稀吸収液ポンプを配管接続して構成する一重二重効用吸収冷温水機において、吸収器から稀吸収液を低温熱交換器、高温熱交換器の順に経由させて高温再生器に送り込む稀吸収液ポンプが介在する稀吸収液配管の低温熱交換器と高温熱交換器との間に廃熱熱交換器を設けると共に、この廃熱熱交換器に供給され、廃熱熱交換器で稀吸収液と熱交換して廃熱熱交換器から吐出した温廃水などを低熱源再生器に供給可能に前記廃熱熱交換器と低熱源再生器とを低熱源供給配管により配管接続したことを特徴とする一重二重効用吸収冷温水機。
【請求項３】
廃熱熱交換器を迂回する第１のバイパス配管と、低熱源再生器を迂回する第２のバイパス配管とを低熱源供給配管に設けると共に、それぞれのバイパス配管に流れる温廃水などの量を調整する流量調整手段を設けたことを特徴とする請求項１または２記載の一重二重効用吸収冷温水機。
【発明の詳細な説明】
【０００１】
【発明の属する技術分野】
本発明は吸収冷温水機に関し、特に詳しくは低熱源再生器と凝縮器とを収納した低熱源再生器凝縮器胴を備えた一重二重効用吸収冷温水機に関する。
【０００２】
【従来の技術】
蒸発器と吸収器とを収納した蒸発器吸収器胴、低温再生器と凝縮器とを収納した低温再生器凝縮器胴、温廃水などを低温熱源とする低熱源再生器と凝縮器とを収納した低熱源再生器凝縮器胴、高温再生器、低温熱交換器、高温熱交換器、稀吸収液ポンプおよび中間吸収液ポンプを配管接続して構成する一重二重効用吸収冷温水機が、省エネ効果が高い冷暖房装置として知られている。
【０００３】
【発明が解決しようとする課題】
しかし、従来の一重二重効用吸収冷温水機においては、コジェネレーション（熱電併給）で供給される廃熱などが低熱源再生器に直接供給され、吸収器から送り込まれる稀吸収液を加熱して冷媒を蒸発分離したあとは捨てられていたため、廃熱の有効利用が必ずしも充分ではないと云った問題点があり、廃熱をより有効に活用にして吸収冷温水機の成績係数を向上させる必要があった。
【０００４】
【課題を解決するための手段】
本発明は上記従来技術の課題を解決するため、蒸発器と吸収器とを収納した蒸発器吸収器胴、低温再生器と凝縮器とを収納した低温再生器凝縮器胴、温廃水などを低温熱源とする低熱源再生器と凝縮器とを収納した低熱源再生器凝縮器胴、高温再生器、低温熱交換器、高温熱交換器、稀吸収液ポンプおよび中間吸収液ポンプを配管接続して構成する一重二重効用吸収冷温水機において、高温熱交換器を経由させて高温再生器に中間吸収液を送り込む中間吸収液ポンプが介在する中間吸収液配管の高温熱交換器入口側に廃熱熱交換器を設けると共に、この廃熱熱交換器に供給され、廃熱熱交換器で中間吸収液と熱交換して廃熱熱交換器から吐出した温廃水などを低熱源再生器に供給可能に前記廃熱熱交換器と低熱源再生器とを低熱源供給配管により配管接続するようにした第１の構成の一重二重効用吸収冷温水機と、
【０００５】
蒸発器と吸収器とを収納した蒸発器吸収器胴、低温再生器と凝縮器とを収納した低温再生器凝縮器胴、温廃水などを低温熱源とする低熱源再生器と凝縮器とを収納した低熱源再生器凝縮器胴、高温再生器、低温熱交換器、高温熱交換器、中間熱交換器、第１および第２の稀吸収液ポンプを配管接続して構成する一重二重効用吸収冷温水機において、吸収器から稀吸収液を低温熱交換器、高温熱交換器の順に経由させて高温再生器に送り込む稀吸収液ポンプが介在する稀吸収液配管の低温熱交換器と高温熱交換器との間に廃熱熱交換器を設けると共に、この廃熱熱交換器に供給され、廃熱熱交換器で稀吸収液と熱交換して廃熱熱交換器から吐出した温廃水などを低熱源再生器に供給可能に前記廃熱熱交換器と低熱源再生器とを低熱源供給配管により配管接続するようにした第２の構成の一重二重効用吸収冷温水機と、
【０００６】
前記第１または第２の構成の一重二重効用吸収冷温水機において、廃熱熱交換器を迂回する第１のバイパス配管と、低熱源再生器を迂回する第２のバイパス配管とを低熱源供給配管に設けると共に、それぞれのバイパス配管に流れる温廃水などの量を調整する流量調整手段を設けるようにした第３の構成の一重二重効用吸収冷温水機と
を提供するものである。
【０００７】
【発明の実施の形態】
〔第１の実施形態〕
本発明の第１の実施形態を図１に基づいて説明する。図１に例示した一重二重効用吸収冷温水機は、冷媒に水、吸収液（溶液）に臭化リチウム（ＬｉＢｒ）溶液を用いるものであり、１は蒸発器、２は吸収器、３は蒸発器１と吸収器２とを収納した蒸発器吸収器胴（以下、下胴と云う）、４は例えばガスバーナ５を備えた高温再生器、６は低温再生器、７は低温再生器６のための凝縮器（以下、第１凝縮器と云う）、８は低温再生器６と第１凝縮器７とを収納した低温再生器凝縮器胴（以下、第１上胴と云う）、９は例えば９５℃前後の温廃水を低温熱源とする低熱源再生器、１０は低熱源再生器９のための凝縮器（以下、第２凝縮器と云う）、１１は低熱源再生器９と第２凝縮器１０とを収納した低熱源再生器凝縮器胴（以下、第２上胴と云う）、１２Ａは低温熱交換器、１２Ｂは高温熱交換器、１３は廃熱熱交換器である。
【０００８】
２Ａは吸収器２の下部に形成された稀吸収液溜りであり、この稀吸収液溜り２Ａと低熱源再生器９の気相部とは、途中に稀吸収液ポンプＰ１を備えた稀吸収液配管１４により配管接続されている。また、低熱源再生器９の下部に形成された中間吸収液溜り９Ａと高温再生器４の気相部とは、途中に中間吸収液ポンプＰ２を備えた中間吸収液配管１５によって配管接続されている。
【０００９】
４Ａは高温再生器４に形成された中間吸収液溜りであり、この中間吸収液溜り４Ａと低温再生器６の気相部とは、途中に高温熱交換器１２Ｂを備えた中間吸収液配管１６によって配管接続されている。また、中間吸収液配管１６の高温熱交換器１２Ｂ入口側と、吸収器２の気相部とは、途中に開閉弁１６Ｖを備えた中間吸収液配管１６Ａによって配管接続されている。そして、この開閉弁１６Ｖは、冷房などを行うために後述する冷温水配管２５から負荷に冷水を循環供給する冷水供給運転時に閉弁され、暖房など行うために温水を循環供給する温水供給運転時に開弁される。
【００１０】
また、低温再生器６の下部に形成された濃吸収液溜り６Ａと吸収器２の気相部に設けられた濃吸収液散布装置２Ｂとは、途中に低温熱交換器１２Ａを備えた濃吸収液配管１７によって配管接続されている。
【００１１】
また、中間吸収液ポンプＰ２の吸込側の中間吸収液配管１５Ａと低温熱交換器１２Ａの上流側の濃吸収液配管１７Ａとは、吸収液配管１８により配管接続されている。そして、この吸収液配管１８は第１上胴８よりも低いレベルに設置され、第２上胴１１内の圧力と第１上胴８内の圧力の間に差が生じた場合でも、各胴間を吸収液によってＵシールできるようになっている。
【００１２】
１９は高温再生器４の気相部から第１上胴８に至る冷媒蒸気配管であり、低温再生器６の内部を経由して第１凝縮器７の底部に開口している。この冷媒蒸気配管１９の低温再生器６入口側と、吸収器２の気相部とは、途中に開閉弁２０Ｖを備えた冷媒蒸気配管２０によって配管接続されている。この開閉弁２０Ｖも冷水供給運転時に閉弁され、温水供給運転時に閉弁される。
【００１３】
２１は第１凝縮器７の底部と蒸発器１の気相部とを配管接続する第１冷媒液配管であり、この第１冷媒液配管２１にＵシール部２１Ａが形成されている。また、２２は第２凝縮器１０の底部と第１冷媒液配管２１のＵシール部２１Ａとを配管接続する第２冷媒液配管である。このため、この第２冷媒液配管２２にも、第１冷媒液配管２１との接続部にＵシール部２２Ａが形成されることになる。
【００１４】
２３は蒸発器１の冷媒液溜り１Ａと冷媒散布装置１Ｂとを配管接続する冷媒液循環配管であり、この冷媒液循環配管２３の途中に冷媒液ポンプＰ３が設けられている。また、２４は冷媒液溜り１Ａと稀吸収液溜り２Ａとの間に配管接続された冷媒液ドレン配管であり、この冷媒液ドレン配管２４の途中に開閉弁２４Ｖが設けられている。この開閉弁２４Ｖも、冷水供給運転時に閉弁され、温水供給運転時に開弁される。
【００１５】
２５は冷温水配管２５Ａ・冷温水熱交換器２５Ｂ・冷温水配管２５Ｃからなる冷温水配管であり、図示しない冷暖房負荷などに接続される。また、２６は冷却水配管であり、この冷却水配管２６は冷却塔（図示せず）から吸収器熱交換器２６Ａ・第１凝縮器熱交換器２６Ｂ・第２凝縮器熱交換器２６Ｃを経て冷却塔に還流する冷却水の循環路を形成している。
【００１６】
２８は９５℃程度の温廃水、例えば図示しない発電機の冷却水などを低温熱源（以下、熱源温水と云う）として廃熱熱交換器１３、低熱源再生器９に順次供給するための低熱源供給配管であり、低熱源供給管２８Ａ・連結管２８Ｂ・バイパス管２８Ｃ・三方弁である流量制御弁２８Ｄ・低熱源再生器９に内蔵された低熱源熱交換器２８Ｅ・低熱源戻し管２８Ｆ・バイパス管２８Ｇ・三方弁である流量制御弁２８Ｈから構成されている。
【００１７】
Ｓ１は冷温水配管２５Ｃに設置されてこの中を流れている冷温水の温度を検出して制御器Ｃに出力する温度センサである。
【００１８】
上記構成の一重二重効用吸収冷温水機において、開閉弁１６Ｖ・２０Ｖ・２４Ｖを閉弁し、蒸発器１で冷温水熱交換器２５Ｂを介して取り出した冷水を冷温水配管２５Ｃにより負荷に循環供給して行う冷房運転などの制御を説明すると、９５℃程度の熱源温水が供給される低熱源供給配管２８の流量制御弁２８Ｄ・２８Ｈは、何れも熱源温水が熱交換器側に流れるように調整される。
【００１９】
また、冷却水配管２６には冷却水を通し、稀吸収液ポンプＰ１と、中間吸収液ポンプＰ２と、冷媒液ポンプＰ３とを起動し、ガスバーナ５に点火される。ガスバーナ５の火力、具体的にはガスバーナ５に供給するガス量は、温度センサＳ１が計測している冷水の温度、すなわち蒸発器１内の冷温水熱交換器２５Ｂで冷却され、冷温水配管２５Ｃに流れ出て負荷に供給される冷水の温度が所定の温度、例えば７℃になるように制御される。
【００２０】
このときの冷媒と吸収液の挙動を説明すると、吸収器２の稀吸収液溜り２Ａから稀吸収液配管１４を介して稀吸収液ポンプＰ１により第２上胴１１の低熱源再生器９に送り込まれた稀吸収液は、低熱源供給配管２８から供給される熱源温水により低熱源熱交換器２８Ｅを介して加熱され、冷媒を蒸発分離する。
【００２１】
冷媒を蒸発分離して吸収液濃度が高くなった中間吸収液は、中間吸収液配管１５を介して中間吸収液ポンプＰ２により廃熱熱交換器１３・高温熱交換器１２Ｂを経て、それぞれで加熱されて高温再生器４に送られる。
【００２２】
高温再生器４に送り込まれた中間吸収液は、ここでガスバーナ５による火炎および高温の燃焼ガスにより加熱されて冷媒が蒸発分離する。高温再生器４で冷媒を分離して濃度が上昇した中間吸収液は、従来の二重効用吸収冷温水機と同様に高温熱交換器１２Ｂを経て低温再生器６へ送られる。そして、中間吸収液は低温再生器６において、冷媒蒸気配管１９を通って送られて来る冷媒蒸気によって加熱され、さらに冷媒が分離して濃度が一段と高くなり、この濃吸収液が低温熱交換器１２Ａを経て吸収器２へ送られ、濃吸収液散布装置２Ｂから散布される。
【００２３】
一方、低熱源再生器９で分離した冷媒は第２凝縮器１０で凝縮し、低温再生器６で分離した冷媒は第１凝縮器７で凝縮する。そして、冷媒液が第１凝縮器７および第２凝縮器１０から第１冷媒液配管２１および第２冷媒液配管２２を経て下胴３の蒸発器１へ流れ、冷媒液循環配管２３の冷媒液ポンプＰ３の運転により、冷媒散布装置１Ｂから冷温水熱交換器２５Ｂに散布される。
【００２４】
冷温水熱交換器２５Ｂの上に散布された冷媒液は、冷温水熱交換器２５Ｂの内部を通る冷水から蒸発熱を奪って蒸発するので、冷温水熱交換器２５Ｂの内部を通る冷水は冷却され、こうして温度を下げた冷水が冷温水配管２５Ｃから負荷に供給されて冷房などが行われる。
【００２５】
そして、蒸発器１で蒸発した冷媒は吸収器２へ入り、低温再生器６より供給されて濃吸収液散布装置２Ｂから散布される濃間吸収液に吸収されて、吸収器２の稀吸収液溜り２Ａに溜り、稀吸収液ポンプＰ１によって第２上胴１１の低熱源再生器９に送られる。
【００２６】
冷媒と吸収液の上記一重二重効用冷凍サイクルにおいて、前記したように温度センサＳ１が検出して出力する温度、すなわち蒸発器１内の冷温水熱交換器２５Ｂで冷却され、冷温水配管２５Ｃに流れ出て負荷に供給される冷水の温度が所定の７℃になるように、ガスバーナ５による加熱量、具体的にはガスバーナ５に供給するガス量が制御される。
【００２７】
そして、ガスバーナ５による加熱量を最小にしても、温度センサＳ１が所定の７℃より低い温度を検出すると、ガスバーナ５による加熱を停止すると共に、中間吸収液ポンプＰ２の運転も停止し、さらに低熱源供給配管２８から供給する熱源温水が廃熱熱交換器１３に行かないように、流量制御弁２８Ｄを操作する。
【００２８】
この場合の吸収液は、低熱源供給配管２８から供給される熱源温水により第２上胴１１の低熱源再生器９でだけ加熱され、ここで冷媒を蒸発分離する。そして、吸収液濃度が高くなった中間吸収液は、中間吸収液配管１５Ａ・吸収液配管１８・濃吸収液配管１７Ａ・低温熱交換器１２Ａ・濃吸収液配管１７Ｂを経て、濃吸収液散布装置２Ｂから吸収器熱交換器２６Ａに散布され吸収器２に戻される。
【００２９】
一方、低熱源再生器９で生成された冷媒蒸気は第２凝縮器１０に入って凝縮し、第２冷媒液配管２２を経て蒸発器１に流入し、冷媒散布装置１Ｂから冷温水熱交換器２５Ｂに散布され、冷温水熱交換器２５Ｂの内部を通る冷水を冷却して蒸発し、吸収器２へ流入して濃吸収液散布装置２Ｂから散布される中間吸収液に吸収されると云った前記循環が行われる。
【００３０】
冷媒と吸収液の上記一重効用冷凍サイクルにおいては、温度センサＳ１が検出して出力する温度、すなわち蒸発器１内の冷温水熱交換器２５Ｂで冷却され、冷温水配管２５Ｃに流れ出た冷水の温度が所定の７℃になるように、低熱源再生器９における加熱量、具体的には低熱源供給配管２８から低熱源熱交換器２８Ｅに取り込む熱源温水の量、すなわち流量制御弁２８Ｈの開度が制御される。
【００３１】
そして、低熱源供給配管２８を流れる熱源温水の全量が低熱源熱交換器２８Ｅに流れるように流量制御弁２８Ｈを操作しても、冷温水熱交換器２５Ｂで冷却されて冷温水配管２５Ｃに流れ出た冷水が所定の７℃まで低下しないときには、前記のようにガスバーナ５に点火するなどして、高温再生器４でも冷媒を加熱生成するように制御する。
【００３２】
すなわち、吸収液を加熱して冷媒を発生させる熱源としては、低熱源供給配管２８から取り込む熱源温水を利用し、これで不足するときにガスバーナ５による加熱を行うので、高温再生器４で消費する燃料の削減が図れる。しかも、低熱源供給配管２８を介して供給される熱源温水は、廃熱熱交換器１３と低熱源熱交換器２８Ｅとの二箇所で吸収液と熱交換してこれを加熱するので、熱交換を１回だけ行うように構成されていた従来の装置に比べて成績係数が高くなった。
【００３３】
なお、冷温水配管２５Ｃから負荷に温水を循環供給して暖房などを行う場合は、冷却水配管２６に冷却水の供給を行わずに開閉弁１６Ｖ・２０Ｖ・２４Ｖを開弁し、高温再生器４で発生した高温の冷媒蒸気を冷媒蒸気配管１９、冷媒蒸気配管２０を経て下胴３に導く。
【００３４】
そして、冷温水熱交換器２５Ｂを流れる水をこの高温の冷媒蒸気によって加熱し、冷温水配管２５Ｃを介して負荷に供給する。そして、冷温水熱交換器２５Ｂに触れて凝縮し、冷媒液溜り１Ａに溜った冷媒液は冷媒液ドレン配管２４を経て吸収器２の稀吸収液溜り２Ａに導かれる。
【００３５】
この場合も、ガスバーナ５の火力、具体的にはガスバーナ５に供給するガス量は、温度センサＳ１が計測している温水の温度、すなわち蒸発器１内の冷温水熱交換器２５Ｂで加熱され、冷温水配管２５Ｃに流れ出て負荷に供給される温水の温度が所定の温度、例えば５５℃になるように制御器Ｃにより制御される。
【００３６】
そして、ガスバーナ５による加熱量を最小にしても、温度センサＳ１が所定の５５℃より高い温度を検出すると、ガスバーナ５による加熱を停止すると共に、中間吸収液ポンプＰ２の運転も停止し、さらに低熱源供給配管２８から供給する熱源温水が廃熱熱交換器１３に行かないように流量制御弁２８Ｄを操作する。
【００３７】
冷媒と吸収液の上記循環サイクルにおいては、温度センサＳ１が検出して出力する温度、すなわち蒸発器１内の冷温水熱交換器２５Ｂで加熱され、冷温水配管２５Ｃに流れ出た温水の温度が所定の５５℃になるように、ガスバーナ５による加熱を行う。
【００３８】
〔第２の実施形態〕
本発明の第２の実施形態を図２に基づいて説明する。図２に例示した一重二重効用吸収冷温水機も冷媒に水、吸収液（溶液）に臭化リチウム（ＬｉＢｒ）溶液を用いるものであり、この吸収冷温水機が図１に示した一重二重効用吸収冷温水機と相違する点は、図１の一重二重効用吸収冷温水機が備えていた中間吸収液ポンプＰ２・吸収液配管１８などを取り除く代わりに、第２の稀吸収液ポンプＰ４と、中間熱交換器３１とを設けるようにした点にあり、主に図１に示した一重二重効用吸収冷温水機と相違する部分について説明する。
【００３９】
第２の稀吸収液ポンプＰ４は稀吸収液配管１４Ａに設置され、この稀吸収液配管１４Ａを介して稀吸収液ポンプＰ４の吸入側が吸収器２の稀吸収液溜り２Ａに接続され、吐出側が低温熱交換器１２Ａ・廃熱熱交換器１３・高温熱交換器１２Ｂを経て高温再生器４の気相部に接続されている。
【００４０】
稀吸収液ポンプＰ１が吸収器２の稀吸収液溜り２Ａから第２上胴１１の低熱源再生器９に送り込んでいる稀吸収液と熱交換するために稀吸収液配管１４に設けた中間熱交換器３１は、その一方の入口に、図１に例示した一重二重効用吸収冷温水機において第２上胴１１の低熱源再生器９の中間吸収液溜り９Ａに配管接続されていた中間吸収液配管１５Ａの他端が配管接続され、他方の入口には中間吸収液配管１５Ｂが配管接続され、この中間吸収液配管１５Ｂを介して低温熱交換器１２Ａから吸収器２の濃吸収液散布装置２Ｂに至る濃吸収液配管１７Ｂに接続している。
【００４１】
上記図２に示した構成の一重二重効用吸収冷温水機においても、開閉弁１６Ｖ・２０Ｖ・２４Ｖを閉弁し、蒸発器１で冷温水熱交換器２５Ｂを介して取り出した冷水を冷温水配管２５Ｃにより負荷に循環供給して行う冷房運転などでは、９５℃程度の熱源温水が供給される低熱源供給配管２８の流量制御弁２８Ｄ・２８Ｈは、何れも熱源温水が熱交換器側に流れるように調整される。
【００４２】
また、冷却水配管２６には冷却水を通し、稀吸収液ポンプＰ１・Ｐ４と、冷媒液ポンプＰ３とを起動し、ガスバーナ５に点火される。ガスバーナ５の火力、具体的にはガスバーナ５に供給するガス量は、温度センサＳ１が計測している冷水の温度、すなわち蒸発器１内の冷温水熱交換器２５Ｂで冷却され、冷温水配管２５Ｃに流れ出て負荷に供給される冷水の温度が所定の温度、例えば７℃になるように制御される。
【００４３】
このときの冷媒と吸収液の挙動を説明すると、吸収器２の稀吸収液溜り２Ａから稀吸収液配管１４を介して稀吸収液ポンプＰ１により第２上胴１１の低熱源再生器９に送り込まれた稀吸収液は、低熱源供給配管２８から供給される熱源温水により低熱源熱交換器２８Ｅを介して加熱され、冷媒を蒸発分離する。
【００４４】
冷媒を蒸発分離して吸収液濃度が高くなった中間吸収液は、中間吸収液配管１５Ａ・中間熱交換器３１・中間吸収液配管１５Ｂ・濃吸収液配管１７Ｂを経て、吸収器２の濃吸収液散布装置２Ｂから、後述する低温再生器６からの濃吸収液と一緒になって吸収器熱交換器２６Ａに散布され、吸収器２に戻される。
【００４５】
吸収器２の稀吸収液溜り２Ａからは、稀吸収液が稀吸収液ポンプＰ４により稀吸収液配管１４Ａを介して、低温熱交換器１２Ａ・廃熱熱交換器１３・高温熱交換器１２Ｂそれぞれで熱交換して温度上昇しながら高温再生器４にも送り込まれ、ここでガスバーナ５による火炎および高温の燃焼ガスにより加熱されて冷媒が蒸発分離する。高温再生器４で冷媒を分離して濃度が上昇した中間吸収液は、従来の二重効用吸収冷温水機と同様に高温熱交換器１２Ｂを経て低温再生器６へ送られる。そして、中間吸収液は低温再生器６において、冷媒蒸気配管１９を通って送られて来る冷媒蒸気によって加熱され、さらに冷媒が分離して濃度が一段と高くなり、この濃吸収液が低温熱交換器１２Ａを経て吸収器２へ送られ、前記低熱源再生器９からの中間吸収液と一緒に濃吸収液散布装置２Ｂから散布される。
【００４６】
一方、低熱源再生器９で分離した冷媒は第２凝縮器１０で凝縮し、低温再生器６で分離した冷媒は第１凝縮器７で凝縮する。そして、冷媒液が第１凝縮器７および第２凝縮器１０から第１冷媒液配管２１および第２冷媒液配管２２を経て下胴３の蒸発器１へ流れ、冷媒液循環配管２３の冷媒液ポンプＰ３の運転により、冷媒散布装置１Ｂから冷温水熱交換器２５Ｂに散布される。
【００４７】
冷温水熱交換器２５Ｂの上に散布された冷媒液は、冷温水熱交換器２５Ｂの内部を通る冷水から蒸発熱を奪って蒸発するので、冷温水熱交換器２５Ｂの内部を通る冷水は冷却され、こうして温度を下げた冷水が冷温水配管２５Ｃから負荷に供給されて冷房などが行われる。
【００４８】
そして、蒸発器１で蒸発した冷媒は吸収器２へ入り、低温再生器６および低熱源再生器９より供給されて濃吸収液散布装置２Ｂから散布される吸収液に吸収されて、吸収器２の稀吸収液溜り２Ａに溜り、再び稀吸収液ポンプＰ１によって第２上胴１１の低熱源再生器９に送られ、稀吸収液ポンプＰ４によって高温再生器４に送られる。
【００４９】
冷媒と吸収液の上記一重二重効用冷凍サイクルにおいて、前記したように温度センサＳ１が検出して出力する温度、すなわち蒸発器１内の冷温水熱交換器２５Ｂで冷却され、冷温水配管２５Ｃに流れ出て負荷に供給される冷水の温度が所定の７℃になるように、ガスバーナ５による加熱量、具体的にはガスバーナ５に供給するガス量が制御される。
【００５０】
そして、ガスバーナ５による加熱量を最小にしても、温度センサＳ１が所定の７℃より低い温度を検出すると、ガスバーナ５による加熱を停止すると共に、稀吸収液ポンプＰ４の運転も停止し、さらに低熱源供給配管２８から供給する熱源温水が廃熱熱交換器１３に行かないように、流量制御弁２８Ｄを操作する。
【００５１】
この場合の吸収液は、低熱源供給配管２８から供給される熱源温水により第２上胴１１の低熱源再生器９でだけ加熱され、ここで冷媒を蒸発分離する。そして、吸収液濃度が高くなった中間吸収液は、中間吸収液配管１５Ａ・中間熱交換器３１・中間吸収液配管１５Ｂ・濃吸収液配管１７Ｂを経て、吸収器２の濃吸収液散布装置２Ｂから吸収器熱交換器２６Ａに散布され吸収器２に戻される。
【００５２】
一方、低熱源再生器９で生成された冷媒蒸気は第２凝縮器１０に入って凝縮し、第２冷媒液配管２２を経て蒸発器１に流入し、冷媒散布装置１Ｂから冷温水熱交換器２５Ｂに散布され、冷温水熱交換器２５Ｂの内部を通る冷水を冷却して蒸発し、吸収器２へ流入して濃吸収液散布装置２Ｂから散布される中間吸収液に吸収されると云った前記循環が行われる。
【００５３】
冷媒と吸収液の上記一重効用冷凍サイクルにおいては、温度センサＳ１が検出して出力する温度、すなわち蒸発器１内の冷温水熱交換器２５Ｂで冷却され、冷温水配管２５Ｃに流れ出た冷水の温度が所定の７℃になるように、低熱源再生器９における加熱量、具体的には低熱源供給配管２８から低熱源熱交換器２８Ｅに取り込む熱源温水の量、すなわち流量制御弁２８Ｈの開度が制御される。
【００５４】
そして、低熱源供給配管２８を流れる熱源温水の全量が低熱源熱交換器２８Ｅに流れるように流量制御弁２８Ｈを操作しても、冷温水熱交換器２５Ｂで冷却されて冷温水配管２５Ｃに流れ出た冷水が所定の７℃まで低下しないときには、前記のようにガスバーナ５に点火するなどして、高温再生器４でも冷媒を加熱生成するように制御する。
【００５５】
すなわち、吸収液を加熱して冷媒を発生させる熱源としては、第１に低熱源供給配管２８から取り込む熱源温水を利用し、これで不足するときにガスバーナ５による加熱を行うので、高温再生器４で消費する燃料の削減が図れるし、低熱源供給配管２８を介して供給される熱源温水は、廃熱熱交換器１３と低熱源熱交換器２８Ｅとの二箇所で吸収液と熱交換してこれを加熱しているので、熱交換を１回だけ行うように構成されていた従来の装置に比べて成績係数が高くなる。
【００５６】
なお、負荷に温水を供給して暖房などを行う場合は、冷却水配管２６に冷却水の供給を行わずに開閉弁１６Ｖ・２０Ｖ・２４Ｖを開弁し、高温再生器４で発生した高温の冷媒蒸気を冷媒蒸気配管１９、冷媒蒸気配管２０を経て下胴３に導く。また、第２上胴１１の低熱源再生器９で生成された冷媒蒸気は第２凝縮器１０に入り、第２冷媒液配管２２を経て蒸発器１に流入する。この低熱源再生器９と、高温再生器４から流入する冷媒蒸気によって、冷温水熱交換器２５Ｂ内を流れる水を加熱し、冷温水配管２５Ｃを介して負荷に供給する。そして、冷温水熱交換器２５Ｂに触れて凝縮し、冷媒液溜り１Ａに溜った冷媒液は冷媒液ドレン配管２４を経て稀吸収液溜り２Ａに導かれる。
【００５７】
この場合も、ガスバーナ５の火力、具体的にはガスバーナ５に供給するガス量は、温度センサＳ１が計測している温水の温度、すなわち蒸発器１内の冷温水熱交換器２５Ｂで加熱され、冷温水配管２５Ｃに流れ出て負荷に供給される温水の温度が所定の５５℃になるように制御器Ｃにより制御される。
【００５８】
ところで、本発明は上記実施例に限定されるものではないので、特許請求の範囲に記載の趣旨から逸脱しない範囲で各種の変形実施が可能である。
【００５９】
例えば、冷却水を第２凝縮器熱交換器２６Ｃ、吸収器熱交換器２６Ａ、第１凝縮器熱交換器２６Ｂと流すように冷却水配管２６を配管しても良い。
【００６０】
また、冷却水を第２凝縮器熱交換器２６Ｃ、第１凝縮器熱交換器２６Ｂ、吸収器熱交換器２６Ａと流すように冷却水配管２６を配管しても良い。
【００６１】
【発明の効果】
以上説明したように本発明の一重二重効用吸収冷温水機においては、発電機などの冷却に使用した温廃水などが吸収液の加熱に二度に渡って使用されるため、成績係数の改善が図れた。
【００６２】
また、請求項３の吸収冷温水機によれば、負荷が小さく、したがって吸収液の加熱が温排水だけで行える場合も、蒸発器から取り出して冷温水配管から負荷に循環供給する冷温水の温度調節が容易に行える。
【図面の簡単な説明】
【図１】請求項１に係わる一重二重効用吸収冷温水機の概略構成図である。
【図２】請求項２に係わる一重二重効用吸収冷温水機の概略構成図である。
【符号の説明】
１      蒸発器
１Ｂ    冷媒散布装置
２      吸収器
２Ａ    稀吸収液溜り
２Ｂ    濃吸収液散布装置
３      下胴（蒸発器吸収器胴）
４      高温再生器
６      低温再生器
７      第１凝縮器
８      第１上胴（低温再生器凝縮器胴）
９      低熱源再生器
１０    第２凝縮器
１１    第２上胴（低熱源再生器凝縮器胴）
１２Ａ  低温熱交換器
１２Ｂ  高温熱交換器
１３    廃熱熱交換器
１４    稀吸収液配管
１５    中間吸収液配管
１６    中間吸収液配管
１７    濃吸収液配管
１８    吸収液配管
１９    冷媒蒸気配管
２０    冷媒蒸気配管
２１    第１冷媒液配管
２２    第２冷媒液配管
２３    冷媒液循環配管
２４    冷媒液ドレン配管
２５    冷温水配管
２５Ｂ  冷温水熱交換器
２５Ｃ  冷温水配管
２６    冷却水配管
２６Ａ  吸収器熱交換器
２６Ｂ  第１凝縮器熱交換器
２６Ｃ  第２凝縮器熱交換器
２８    低熱源供給配管
２８Ａ  低熱源供給管
２８Ｂ  連結管
２８Ｃ  バイパス管
２８Ｄ  流量制御弁
２８Ｅ  低熱源熱交換器
２８Ｆ  低熱源戻し管
２８Ｇ  バイパス管
２９Ｈ  流量制御弁
Ｃ      制御器
Ｐ１    稀吸収液ポンプ
Ｐ２    中間吸収液ポンプ
Ｐ３    冷媒液ポンプ
Ｓ１・Ｓ２  温度センサ
【図１】
0003728092.tif 000002
【図２】
0003728092.tif 000003